(57)【特許請求の範囲】
【請求項１】
車両のインストルメントパネルにメーター装置を取り付けるメーター装置の取付構造において、
前記メーター装置は車幅方向に横長の形状をなし、前記メーター装置の周縁部が前記インストルメントパネルに覆われ、前記メーター装置の背面および下面が前記インストルメントパネルのフレームにおけるメーター支持部によって支持され、前記メーター支持部には前記メーター装置をその背面側から前面側へ押し出し可能にする取り外し孔が設けられ、前記取り外し孔は、前記メーター支持部の車幅方向両端部近傍に設けられていることを特徴とするメーター装置の取付構造。
【請求項２】
前記メーター支持部は、前記メーター装置の背面を支持する縦壁部と前記メーター装置の下面を支持する横壁部とが連結して断面略Ｌ字状に形成されており、前記取り外し孔は、前記縦壁部と前記横壁部とに跨って設けられていることを特徴とする請求項１に記載のメーター装置の取付構造。
【請求項３】
前記取り外し孔の内周面は面取りされていることを特徴とする請求項１または請求項２に記載のメーター装置の取付構造。
【発明の詳細な説明】
【技術分野】
【０００１】
この発明は、車両のインストルメントパネルにメーター装置が取り付けられたメーター装置の取付構造に関するものである。
【背景技術】
【０００２】
車両のインストルメントパネルには、メーター装置が嵌め込むようにして取り付けられており、メンテナンス時にインストルメントパネルから取り外すことができるように設置されている。
例えば、特許文献１には、メンテナンス性を考慮して、メーター装置またはインストルメントパネルの前縁部分に予め切り欠きを設けておき、この切り欠きからマイナスドライバー等の工具を差し込んで、メーター装置とインストルメントパネルとの係合を解除し、メーター装置を取り外せるようにしたメーター装置の取付構造が開示されている。
【特許文献１】特開平８−９１０９５号公報
【発明の開示】
【発明が解決しようとする課題】
【０００３】
しかしながら、インストルメントパネルは乗員の視界に入り易く、特にメーター装置の周りは目に付き易く、メーター装置やインストルメントパネルに切り欠きを設けると見栄えが悪くなって、商品性を損なうという課題がある。
そこで、この発明は、メンテナンス性と商品性のいずれをも向上させることができるメーター装置の取付構造を提供するものである。
【課題を解決するための手段】
【０００４】
この発明に係るメーター装置の取付構造では、上記課題を解決するために以下の手段を採用した。
請求項１に係る発明は、車両のインストルメントパネル（例えば、後述する実施例におけるインストルメントパネル１０）にメーター装置（例えば、後述する実施例におけるメーター装置１）を取り付けるメーター装置の取付構造において、前記メーター装置は車幅方向に横長の形状をなし、前記メーター装置の周縁部が前記インストルメントパネルに覆われ、前記メーター装置の背面（例えば、後述する実施例における背面３）および下面（例えば、後述する実施例における下面８）が前記インストルメントパネルのフレーム（例えば、後述する実施例におけるフレーム１１）におけるメーター支持部（例えば、後述する実施例におけるメーター支持部１４）によって支持され、前記メーター支持部には前記メーター装置をその背面側から前面（例えば、後述する実施例における前面２）側へ押し出し可能にする取り外し孔（例えば、後述する実施例における取り外し孔２８）が設けられ、前記取り外し孔は、前記メーター支持部の車幅方向両端部近傍に設けられていることを特徴とするメーター装置の取付構造である。
このように構成することにより、メーター装置の取付状態において取り外し孔はメーター装置によって隠されるので、乗員の目に入ることがない。また、メーター装置とインストルメントパネルとの間に取り外しのための隙間を設ける必要がない。したがって、メーター装置周りの見栄えがよい。
メンテナンス時にメーター装置をインストルメントパネルから取り外す場合には、作業者は取り外し孔に指を入れて、メーター装置をその前面側に押し出すことによって、工具なしで簡単にメーター装置をインストルメントパネルから取り外すことができる。
【０００５】
また、前記取り外し孔が前記メーター支持部の車幅方向両端部近傍に設けられているので、メーター装置の左右両側を前面側に押し出すことができ、メーター装置を取り外し易くなる。
【０００６】
請求項２に係る発明は、請求項１に記載の発明において、前記メーター支持部は、前記メーター装置の背面を支持する縦壁部（例えば、後述する実施例における縦壁部１６）と前記メーター装置の下面を支持する横壁部（例えば、後述する実施例における横壁部１７）とが連結して断面略Ｌ字状に形成されており、前記取り外し孔は、前記縦壁部と前記横壁部とに跨って設けられていることを特徴とする。
取り外し孔が縦壁部と横壁部とに跨って設けられていることにより、メンテナンス時にメーター装置をインストルメントパネルから取り外すときに、作業者は取り外し孔に指を入れてメーター装置の背面に指を掛け、メーター装置をその前面側に押し出すことができる。
【０００７】
請求項３に係る発明は、請求項１または請求項２に記載の発明において、前記取り外し孔の内周面は面取りされていることを特徴とする。
このように構成することにより、メンテナンス時に作業者が取り外し孔に指を挿入したときに、指が傷付かない。
【発明の効果】
【０００８】
請求項１に係る発明によれば、メーター装置周りの見栄えがよくなるので、商品性が向上する。また、工具なしで簡単にメーター装置をインストルメントパネルから取り外すことができるので、メンテナンス性が向上する。
請求項２に係る発明によれば、メーター装置をインストルメントパネルから、さらに取り外し易くなる。
請求項３に係る発明によれば、メンテナンス時に指を傷付けることがなく、作業の安全性が確保される。
【発明を実施するための最良の形態】
【０００９】
以下、この発明に係るメーター装置の取付構造の実施例を図１から図６の図面を参照して説明する。なお、以下の説明における前後方向は、インストルメントパネルを基準にして運転席に接近する方向を前方、運転席から遠ざかる方向を後方とし、車体の前後方向とは一致しない。
【００１０】
図１は、左ハンドル車両の運転席前のインストルメントパネル１０を斜め右上方から見た斜視図であり、運転席前のインストルメントパネル１０には、スピードメーターやタコメーター等が組み込まれたメーター装置１が取り付けられている。
【００１１】
メーター装置１は、正面から見ると車幅方向に横長で、その左右両端部が中央部よりも若干下方に膨出しており、また、図２に示すように側方から見ると、メーター装置１の前面２は下部よりも上部の方が運転席側に突出した形状に形成されている。さらに、図６に示すように、メーター装置１の背面３には、左右の下方膨出部４，４よりも中央寄りに、サポート５を介して固定金具６，６が固定されている。固定金具６にはねじ孔７が鉛直方向に設けられている。
【００１２】
インストルメントパネル１０は、金属製のフレーム１１と、主に車室に露出する部分のフレーム１１の表面に被覆された樹脂製の表皮１２とから構成されている。
インストルメントパネル１０には、メーター装置１を格納するメーター格納部１３が設けられている。メーター格納部１３におけるフレーム１１は、メーター装置１の下半部を支持するメーター支持部１４と、メーター支持部１４に連なりメーター装置１の上半部の前縁部を包囲する鍔部１５とを備えている。
【００１３】
メーター支持部１４は、その正面視形状がメーター装置１の下半部に対応した形状をなし、メーター支持部１４はその左右に、メーター装置１の下方膨出部４，４が収まる下方膨出部２３，２４が設けられている。
また、メーター支持部１４は側方から見ると、メーター装置１の背面３に対向して配置される縦壁部１６と、メーター装置１の下面８が載置される横壁部１７とが連結して略Ｌ字状に形成されている。
【００１４】
縦壁部１６の上部には、メーター装置１の固定金具６，６に対応する位置に、取付座１８，１８が後方に突出して設けられている。図５に示すように、取付座１８は底面部１９と背面部２０と左右の側面部２１を備え、上方が開口しており、底面部１９と背面部２０とに跨ってねじ挿通孔２２が設けられている。
【００１５】
横壁部１７には、縦壁部１６から前方に所定寸法離れた位置に段部２５が設けられており、段部２５より前方に位置する前方横壁部２７は、段部２５よりも後方に位置する後方横壁部２６よりも一段下がっている。
また、図２、図５、図６に示すように、メーター支持部１４の下方膨出部２３，２４において、縦壁部１６と後方横壁部２６とが連結される角部には、メーター装置１をその背面３側から前面２側へ押し出し可能にする取り外し孔２８が設けられている。つまり、取り外し孔２８はメーター支持部１４の左右両端部近傍に設けられている。また、取り外し孔２８は縦壁部１６と横壁部１７とに跨って設けられており、段部２５よりも後方に位置している。この取り外し孔２８の内周面は、作業者が取り外し孔２８に指を入れたときに指を傷付けないように、面取りされて表面が滑らかにされている。
【００１６】
鍔部１５は、その後端２９が下方に屈曲し、前端３０においてフレーム１１の上面部５０に連なっている。
メーター格納部１３においては、メーター支持部１４の前方横壁部２７と鍔部１５が表皮１２に被覆されており、後方横壁部２６は被覆されていない。
図３に示すように、メーター装置１の前面２の上縁部（見切り線）２ａは、鍔部１５に被覆された表皮１２に当接しており、上縁部２ａよりも前方に位置する表皮１２の方が上縁部２ａよりも若干下方に膨出していて、表皮１２の膨出部１２ａがメーター装置１の上縁部２ａを隠している。メーター装置１の前面２の下縁部２ｂも、前方横壁部２７に被覆された表皮１２に当接している。つまり、メーター装置１の周縁部はその全周に亘ってインストルメントパネル１０に覆われている。
また、メーター装置１がインストルメントパネル１０に取り付けられた状態において、メーター装置１とインストルメントパネル１０のメーター格納部１３における表皮１２との間に隙間がないので、見栄えがよく、商品性が向上する。
【００１７】
メーター装置１をインストルメントパネル１０に取り付けるときには、図６に示すように、メーター装置１を、車室内側からインストルメントパネル１０のメーター格納部１３に挿入する。その際に、図２に示すように、メーター装置１の左右のサポート５および固定金具６を、フレーム１１の左右の取付座１８内に挿入し、メーター装置１の背面３をフレーム１１のメーター支持部１４の縦壁部１６に接近させ、メーター装置１の下面８の後端部をフレーム１１のメーター支持部１４の後方横壁部２６の上に載置する。そして、ねじ４０を、フレーム１１のメーター支持部１４の下側から取付座１８のねじ挿通孔２２に挿通し、メーター装置１の固定金具６のねじ孔７にねじ込んで固定する。これにより、メーター装置１は、その背面３を取付座１８を介してメーター支持部１４の縦壁部１６に支持され、下面８をメーター支持部１４の横壁部１７に支持される。
【００１８】
一方、メンテナンス時にメーター装置１をインストルメントパネル１０から取り外す場合には、作業者はまず、ねじ４０を取り外す。そして、作業者はインストルメントパネル１０の下部に手を回し、フレーム１１の取り外し孔２８から指を入れ、取り外し孔２８から露出しているメーター装置１の下方膨出部４，４における背面３に指を掛け、メーター装置１を前方（メーター装置１の前面２側）に押し出す。
【００１９】
取り外し孔２８は、メーター支持部１４の縦壁部１６と横壁部１７とに跨って設けられているので、作業者は指を前方に移動させながらメーター装置１を前方へ押し出すことができる。
また、取り外し孔２８が左右の下方膨出部２３，２４にそれぞれ設けられているので、メーター装置１の左右両端部近傍を同時に前方に押し出すことができ、メーター装置１を前方に移動させ易い。
このように、工具を使わずに簡単に、メーター装置１をインストルメントパネル１０から取り外すことができ、メンテナンス性が向上する。
【００２０】
また、メーター装置１の取付状態においては、取り外し孔２８はメーター装置１によって隠されるので、通常は乗員の目に触れることがない。また、メーター装置１とインストルメントパネル１０との間に取り外しのための隙間を設ける必要がない。したがって、メーター装置１の周りの見栄えがよく、商品性が向上する。
また、取り外し孔２８の内周面が面取りされているので、作業者の指を傷付けることがなく、作業の安全性が確保される。
【図面の簡単な説明】
【００２１】
【図１】この発明に係るメーター装置の取付構造を採用したインストルメントパネルの斜視図である。
【図２】インストルメントパネルにおけるメータ格納部の断面図である。
【図３】メーター装置の見切り部周辺の断面図である。
【図４】インストルメントパネルにおけるメータ格納部の正面図である。
【図５】インストルメントパネルにおけるメータ格納部の要部を拡大して示す斜視図である。
【図６】メーター装置とインストルメントパネルの分解斜視図である。
【符号の説明】
【００２２】
１  メーター装置
２  前面
３  背面
８  下面
１０  インストルメントパネル
１１  フレーム
１４  メーター支持部
１６  縦壁部
１７  横壁部
２８  取り外し孔
【図１】
0004617365.tif 000002
【図２】
0004617365.tif 000003
【図３】
0004617365.tif 000004
【図４】
0004617365.tif 000005
【図５】
0004617365.tif 000006
【図６】
0004617365.tif 000007